(57)【特許請求の範囲】
【請求項１】
ファンを内蔵したファンケーシングと、前記ファンケーシングを備える送風機の吸込口に設けられるベルマウスと、係合片を有する換気装置であって、
前記ベルマウスは前記吸込口に対向した位置に着脱可能に設けられ、ベルマウス形状を有する内周部と、前記内周部と連続して立ち上がって形成された外周部とを有し、前記ベルマウスを前記吸込口に取り付けた際に、前記内周部の端部は前記吸込口の縁部より内周側に位置し、前記外周部の端部は前記吸込口の縁部より外周側に位置すると共に、前記内周部と前記外周部とで形成される上向き開口を有する凹状の部位は、前記吸込口の縁部の下方に対向して位置するように構成し、
前記外周部は、前記係合片と係合する前記内周部側へ凹んだ係合部を有し、
前記ベルマウスの凹状の部位は油受け機能を有することを特徴とする換気装置。
【請求項２】
前記ベルマウスの外周部下端がフード内面に突出していないことを特徴とする請求項１記載の換気装置。
【請求項３】
前記ベルマウスの外周部下端が煙道を形成する面と同一面を形成していることを特徴とする請求項１記載の換気装置。
【請求項４】
前記吸込口の縁部は前記ファンケーシングから下方に延在した部位の端部であることを特徴とする請求項１乃至３に記載の換気装置。
【発明の詳細な説明】
【技術分野】
【０００１】
本発明は、ファンケーシングを備える送風機の吸込口に設けられるベルマウスの取付構造およびその取付構造を有する換気装置に関する。
【背景技術】
【０００２】
従来、調理により発生する油煙などを捕集し排気または浄化するレンジフードなどの換気装置において、シロッコファンやターボファンといった遠心送風機が多く使用されている。そして、これらの遠心送風機の吸込口にはベルマウスと呼ばれる部品をファンケーシングの吸込部に取り付けて、吸込口を形成している。レンジフードなどの換気装置をしばらく使用すると遠心送風機の羽根車にも油分が付着するので、清掃やメンテナンスなどのためにファンケーシング内に取り付けられている羽根車を取り外す際には、このベルマウスを着脱する必要がある。
例えば、特許文献１では、レンジフードにおいて、ファンやモータ等の点検、交換、補修やファンケーシングの清掃等の前作業、後作業が簡単でコスト的にも低廉なファンケーシングにおけるベルマウスの取付構造を提供することを目的として、ベルマウスの着脱作業を容易にするために位置決め用の掛合部と、ネジ止めを行う螺合部よりなるベルマウスの着脱構造が提案されている。
【先行技術文献】
【特許文献】
【０００３】
【特許文献１】実用新案登録第３０１５６５６号公報
【発明の概要】
【発明が解決しようとする課題】
【０００４】
しかし、特許文献１に記載のベルマウスの着脱構造では、ベルマウスの位置合わせをした後に螺合部においてネジ止めを行うため、レンジフードなどの換気装置の送風機は高所に設置されており、作業性の悪いので、取り扱いが大変であった。
【０００５】
そこで、本発明は、上記問題に鑑みてなされたものであり、本発明の目的とするところは、レンジフードなどの換気装置の送風機といった高所に設置された作業性の悪い環境下でも、より容易に作業を行うことができように、作業性を向上させたベルマウスの取付構造を備えた換気装置を提供することである。
【課題を解決するための手段】
【０００６】
上記課題を解決するために、ファンを内蔵したファンケーシングと、ファンケーシングを備える送風機の吸込口に設けられるベルマウスと、係合片を有する換気装置であって、ベルマウスは吸込口に対向した位置に着脱可能に設けられ、ベルマウス形状を有する内周部と、内周部と連続して立ち上がって形成された外周部とを有し、ベルマウスを吸込口に取り付けた際に、内周部の端部は吸込口の縁部より内周側に位置し、外周部の端部は吸込口の縁部より外周側に位置すると共に、内周部と外周部とで形成される上向き開口を有する凹状の部位は、吸込口の縁部の下方に対向して位置するように構成し、外周部は、係合片と係合する内周部側へ凹んだ係合部を有し、ベルマウスの凹状の部位は油受け機能を有することを特徴とする換気装置が提供される。
これによれば、送風機の内部に空気を確実に送り込むことができるとともに、吸込み口の縁部から滴下する油を受けることができ、油受けを兼ねたベルマウスを備えた換気装置を提供することができる。
【０００７】
さらに、ベルマウスの外周部下端がフード内面に突出していないことを特徴としてもよい。
これによれば、フードの内面において空気の流路に突出する部分が無いので、油分などの吸込みの障害となるものが無く、円滑な油煙の吸込みが可能となる。
【０００８】
さらに、ベルマウスの外周部下端が煙道を形成する面と同一面を形成していることを特徴としてもよい。
これによれば、フードの内面において空気の流路に突出する部分が無いので、油分などの吸込みの障害となるものが無く、円滑な油煙の吸込みが可能となる。
【０００９】
さらに、吸込口の縁部はファンケーシングから下方に延在した部位の端部であることを特徴としてもよい。
【発明の効果】
【００１０】
以上説明したように、本発明によれば、レンジフードの送風機といった高所に設置された作業性の悪い環境下でも容易に作業を行うことができようになり、作業性を向上させたベルマウスの取付構造を備えた換気装置を提供することができる。
【図面の簡単な説明】
【００１１】
【図１】本発明に係る第一実施例におけるレンジフードの六面図。（Ａ）正面図、（Ｂ）左側面図、（Ｃ）右側面図、（Ｄ）背面図、（Ｅ）平面図、（Ｆ）底面図、（Ｇ）整流板を取り外した底面図。
【図２】本発明に係る第一実施例におけるレンジフードを左下から見た斜視図。（Ａ）整流板を取り付けた場合、（Ｂ）整流板を取り外した場合。
【図３】本発明に係る第一実施例におけるレンジフードを下から見た部分拡大斜視図。（Ａ）ベルマウスを取り外した状態、（Ｂ）ベルマウスを取り付けた状態。
【図４】本発明に係る第一実施例におけるベルマウスの、（Ａ）平面図、（Ｂ）正面図、（Ｃ）底面図。
【図５】本発明に係る第一実施例におけるベルマウスの、（Ａ）上方から見た斜視図、（Ｂ）下方から見た斜視図。
【図６】本発明に係る第一実施例におけるレンジフードの、係合片付近を拡大した断面図（図１におけるＳ−Ｓ断面における断面）。
【発明を実施するための形態】
【００１２】
以下では、図面を参照しながら、本発明に係る実施例について説明する。
＜第一実施例＞
図１は、本発明に係る第一実施例におけるレンジフード１の正六面図を、図２は、レンジフード１を左下から見た斜視図を示す。レンジフード１は、調理器の上方に設けられ、調理により発生する油煙や水蒸気などを含む空気を捕獲するための、薄型扁平のフード２をレンジフード１の下部に備える。フード２には、フード２の内周縁と隙間を形成するようにして整流板５が備えられる。フード２の上部にはファンケーシング（図示せず）を備えた送風機２１が設けられ、その送風機２１の吸込口２２が、フード２の上面の開口部と一致して設けられる。
【００１３】
そうすると、フード２により捕獲される空気は、送風機２１が発生させる下方から上方への空気の流れに乗って、フード２と整流板５との間の隙間から吸い込まれ、吸い込まれた空気は、整流板５とフード内面３０との間の空間を通り、吸込口２２の周りに形成されている煙道３１に導かれ、吸込口２２から送風機２１の方へ向かう。送風機２１の方へ向かった空気は、フィルターなどで油煙などを除去した後、送風機ボックス４に設けられる排気口３に接続される図示しない排気ダクトによって室外などへ放出される。
なお、フード２は薄型扁平な形状に限定されず、大きな捕獲空間を備え縦方向に厚みのあるフードであってもよいし、整流板５が存在することには限定されず、なくてもよい。
【００１４】
さらに、吸込口２２には、空気を低い抵抗でスムースに吸込むようにガイドするため、空気の流れに接する部分にベルマウス形状を有するベルマウス１０を備える。
【００１５】
図３は、ベルマウス１０が着脱可能に備えられることを示すため、ベルマウス１０が吸込口２２から取り外した状態と取り付けた状態を示す。なお、本図では、フード内面３０を形成するオイルパネルは省略して表示している。吸込口２２において空気をスムースに吸込むようにガイドするためのベルマウス１０は、ベルマウス１０および送風機２１が油煙など含む空気の通り道となるため油分が付着することが多いので、ベルマウス１０や送風機２１のファンを取り外して洗浄するため、着脱可能に備えられる。送風機２１の内部に空気を確実に送り込むため、ベルマウス１０の吸込口２２側の内径は、送風機２１のファンの内径よりも小さく形成し、かつ吸込口２２の径はファンの外径より大きく形成されている。そのため、送風機２１のファンを取り外す場合は、ベルマウス１０を取り外すことで、吸込口２２から送風機２１のファンを取り外すことができる。なお、図示する送風機２１のファンは、高静圧の遠心送風ファンであるが、特にこれに限定されず、軸流ファンであってもよい。
【００１６】
吸込口２２の周囲には、数か所（本実施例では３か所）に係合片４０が設けられ、係合片４０は、後述するように径方向であって吸込口２２の中心方向に付勢されているので、ベルマウス１０を周囲から保持することができる。かかる構造は、レンジフード１などの換気装置においては、ベルマウス１０を吸込口２２の側へ、即ち、奥にある送風機２１の方へ押し付けることにより取り付けることができ、また、逆方向へ、即ち、下方にある調理器の方や使用者にとって手前の方へ、吸込口２２から引き抜くことにより取り外すことができる取付構造である。この取付構造によれば、簡単な操作でベルマウスを着脱できるので、換気装置の送風機といった高所に設置された作業性の悪い環境下でも容易に作業を行うことができ、作業性を向上させたベルマウスの取付構造を提供できる。
【００１７】
なお、換気装置とは、レンジフードを始めとして、食卓の上方に備えられ換気機能と照明機能とを備えた装置、浴室換気扇、浴室換気乾燥機、天井換気扇などの装置、その他の換気機能を有する換気装置を含むものである。
【００１８】
図４および図５は、本発明に係る第一実施例におけるベルマウス１０を示す。ベルマウス１０は、ベルマウス形状を有する内周部１１と、内周部１１と連続して形成され、径方向に弾性を有し係合片４０と係合する、内周部１１側へ凹んだ溝からなる係合部１３を有する外周部１２とから少なくとも構成される。内周部１１は、吸込口２２に取り付けた際下方に広く上方に狭くなるようにベルマウス形状を有することにより、空気をスムースに吸込むようにガイドすることができる。ベルマウスの形状は、図示する形状に限定されず、吸込口や送風機の関係に基づき適宜定められる。なお、内周部１１の、外周部１２の下端１４に近い辺りは、平坦に形成されており、この部分は吸込口の縁部から滴下する油を受けるための油受け部１５として使用される。
【００１９】
外周部１２は、着脱の際邪魔にならないように、吸込口２２の吸込み面に対して垂直をなすように形成された円筒の側面の形状を有する。なお、これに限定されず、着脱の際邪魔にならない程度に垂直からいずれに傾いていてもよいし、また、吸込口の形状に合わせた形状であれば、円筒形でなく例えば角柱形であってもよい。また、円筒形を有する外周部１２の側面は、いずれにおいても同じ高さを有するが、これに限定されず、一部が他の部分より高く（又は低く）形成されてもよい。外周部１２は、内周部１１とは連続して形成され、典型的には金属を一体成型により作製されるが、これに限定されず、例えば、外周部と内周部を個別に作成し連続して接続することにより作製してもよい。
【００２０】
また、外周部１２は、内周部１１側へ、即ち円筒側面から内側へ凹んだ溝を備える。この溝を、径方向に弾性を有し係合片４０と係合する係合部１３と称する。係合部１３は、外周部の下端１４および上端から等距離の位置に形成されているが、これに限定されず、外周部１２の円筒の側面上いずれの位置にあってもよい。係合部１３の溝は、径方向に弾性を有する、即ち、吸込口２２の中心の方へ付勢された係合片４０の凸形状と係合するように凹形状として適宜形成される。
【００２１】
かかる取付構造によれば、ベルマウス１０側の取付構造として可動部などの複雑な機構を有さず、溝のみを有するので、取り外して清掃が容易になる。
【００２２】
また、係合部１３の溝は、外周部１２の円筒の側面において一周して形成される。これにより、ベルマウス１０の取り付けに当たり方向性がないので、取り付ける際にベルマウス１０の方向合わせが不要となる。なお、一周して形成されることに限定されず、部分的に形成されてもよいことは言うまでもない。
【００２３】
図６は、レンジフード１の、係合片４０が係合部１３と係合するところを拡大した、図１におけるＳ−Ｓ断面における断面図である。ベルマウス１０は、吸込口２２の周囲に配され、内周部１１のベルマウス形状が空気をスムースに吸込むようにガイドする。内周部１１の端部１６は、ベルマウス１０を吸込口２２に取り付けた際に、吸込口２２の縁部２３、即ちファンケーシング２０の吸込口側の端部２３より内周側、即ち吸込口２２の中心よりに位置する。また、ベルマウス１０の内周部１１の端部１６における径は、送風機２１のファンの内径よりも小さい。これにより、送風機２１の内部に空気を確実に送り込むことができるとともに、吸込口２２の縁部２３から滴下する油を受けることができ、油受けを兼ねたベルマウス１０を提供することができる。
【００２４】
ファンケーシング２０の吸込口側の端部２３の内径は、底面視円形の送風機２１のファンの外径より、大きい。また、係合片４０は、ベルマウス１０を吸込口２２から取り外した際に、吸込口２２の縁部２３より外周側に位置する。これによれば、吸込口２２から送風機２１のファンを取り外す際、係合片４０が障害になることがなく、吸込口２２から送風機２１を容易に取り外して、清掃することができる。
【００２５】
係合片４０は、板ばねを変形して本図に示すように成形され、吸込口２２の径方向であって中心側方向に付勢するように、ファンケーシングまたは煙道に取り付けられる。係合片４０の、係合部１３と係合する突部は、係合部１３の溝に適合するような形状を有し、ベルマウス１０が取り付けられた時には、この溝に嵌り込む。係合片４０の突部を形成し、係合片４０の最もベルマウス側に突出した部分より下側の面は、最も内周側に突出した部分より上側の面よりも、ベルマウス１０の外周部１２の面に対して緩やかな傾斜をなしており、反対に、最も内周側に突出した部分より上側の面は、ベルマウス１０の外周部１２の面に対して、垂直に近い角度をなしている。なお、本実施例では、ベルマウス１０は煙道３１の開口部に設けられているが、これに限定されるものではなく、煙道を伴わずに、フード内面を形成するオイルパネルの開口部に設けられてもよい。
【００２６】
これにより、ベルマウス１０を取り付ける時には、比較的小さい力で送風機２１側に押し付けることにより取り付けることができ、逆に、ベルマウス１０を取り外す際には、比較的大きな力が必要ではあるが、力を加えずに自然にベルマウスが落下してしまうようなことを防止できる。なお、係合片４０は、図示する形状に限定されず、径方向に弾性を有し、吸込口２２の中心方向に付勢し、係合部１３と係合する限り、いかなる形状であってもよい。係合片４０の個数は限定されないが、吸込口の中心から互いに１２０度をなすように３個の係合片を設けることが好ましい。
【００２７】
また、係合部１３の溝における最も内周側にある頂部１８は、ベルマウス１０を吸込口２２に取り付けた際に、吸込口２２の縁部２３より外周側に位置する。これによれば、外周部１２に吸込口２２の縁部２３から滴下する油が付着することがない。また、外周部１２の下端１４が、ベルマウス１０を吸込口２２に取り付けた際に、フード内面３０や煙道３１に対して突出しておらず、煙道３１を形成する面と、外周部１２の下端１４から内周部１１に連続して形成された面（油受け部１５の下面）とが、ほぼ同一な面をなしている。これによれば、フード２の内面において空気の流路に突出する部分がないので、油分などの吸い込みの障害となるものがなく、円滑な油煙の吸い込みが可能となる。
【００２８】
なお、内周部１１の端部１６や外周部１２の端部１７は、ヘミング加工されることが好ましい。これによれば、ベルマウス１０は、取り外す際直接手で触れて引き抜くように力を加えるので、端部をヘミング加工することにより手が傷つくのを防止でき、また、端部の強度も向上する。
【００２９】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではない。
【符号の説明】
【００３０】
１      レンジフード
２      フード
３      排気口
４      送風機ボックス
５      整流板
１０    ベルマウス
１１    内周部
１２    外周部
１３    係合部（溝）
１４    外周部の下端
１５    油受け部
１６    内周部の端部
１７    外周部の端部
１８    頂部
２０    ファンケーシング
２１    送風機
２２    吸込口
２３    吸込口の縁部（ファンケーシングの端部）
３０    フード内面
３１    煙道
４０    係合片
【図１】
0006654174.tif 000002
【図２】
0006654174.tif 000003
【図３】
0006654174.tif 000004
【図４】
0006654174.tif 000005
【図５】
0006654174.tif 000006
【図６】
0006654174.tif 000007